(57)【要約】【課題】患者及び治療を施す者にとって使い勝手が良い上肢用の渦流浴装置を提供する。【解決手段】装置本体が前後方向に延びる上肢用の渦流浴装置は、前後の側壁のうち少なくとも一方にノズル１１を有する浴槽１０と、浴槽１０の周囲を覆うケーシング３０と、を備える。浴槽１０の左右の側壁は、上側から下側に向かうにつれて当該浴槽内の左右方向の幅を狭くする第１傾斜面部１０２を有する。ケーシング３０の左右の側壁は、上側から下側に向かうにつれて当該ケーシングの左右方向の幅を狭くする第２傾斜面部３０１を有する。第１傾斜面部１０２及び第２傾斜面部３０１は、それらが設けられる各側壁において、上下方向に占める割合が半分以上である。【選択図】図５
2018075237.tif 000002
【特許請求の範囲】
【請求項１】
装置本体が前後方向に延びる上肢用の渦流浴装置であって、
前後の側壁のうち少なくとも一方にノズルを有する浴槽と、
前記浴槽の周囲を覆うケーシングと、
を備え、
前記浴槽の左右の側壁は、上側から下側に向かうにつれて当該浴槽内の左右方向の幅を狭くする第１傾斜面部を有し、
前記ケーシングの左右の側壁は、上側から下側に向かうにつれて当該ケーシングの左右方向の幅を狭くする第２傾斜面部を有し、
前記第１傾斜面部及び前記第２傾斜面部は、それらが設けられる各側壁において、上下方向に占める割合が半分以上である、渦流浴装置。
【請求項２】
前記浴槽の深さは、前記浴槽の上端から前記装置本体の下端までの距離の半分よりも大きい、請求項１に記載の渦流浴装置。
【請求項３】
前記第１傾斜面部は、当該浴槽の上端から下端まで延びている、請求項１又は２に記載の渦流浴装置。
【請求項４】
前記浴槽の左右の側壁は、前記装置本体を左右に二等分する面を基準として対称形状である、請求項１から３のいずれか１項に記載の渦流浴装置。
【請求項５】
前記ケーシングの左右の側壁は、前記装置本体を左右に二等分する面を基準として対称形状である、請求項１から４のいずれか１項に記載の渦流浴装置。
【請求項６】
前記装置本体の左右それぞれにおいて、前記第１傾斜面部と前記第２傾斜面部とは、少なくとも一部の範囲において傾きが略同一である、請求項１から５のいずれか１項に記載の渦流浴装置。
【請求項７】
前記装置本体を支える支持脚を前後に備え、
前後方向の一方側の前記支持脚は、前後方向他方側の前記支持脚に比べて左右方向内方に位置する、請求項１から６のいずれか１項に記載の渦流浴装置。
【請求項８】
前記浴槽に溜められた水はヒーターによって温め可能に設けられて、前記浴槽は温浴槽であり、
前記浴槽の前後方向の一端側に隣接して配置され、冷浴槽として使用される副浴槽を更に備える、請求項１から７のいずれか１項に記載の渦流浴装置。
【請求項９】
前記副浴槽は、前記浴槽よりも左右方向の幅が広い、請求項８に記載の渦流浴装置。
【発明の詳細な説明】
【技術分野】
【０００１】
本発明は、渦流浴装置に関する。
【背景技術】
【０００２】
従来、上肢や下肢の水治療を行うための渦流浴装置が知られる（例えば特許文献１参照）。渦流浴装置は、内壁にノズルが設けられた浴槽を有する。渦流浴装置は、浴槽内に水を満たした状態でノズルから流体を噴射させて渦流を起し、患部を刺激する。
【０００３】
特許文献２には、身体の上肢に障害や疾病を持つ者（患者）の上肢部分を温浴するための上肢用部分浴槽が開示される。上肢用部分浴槽を使用する患者は、腰掛姿勢で浴槽に向かい、左右の、肘、前腕、手を入れ、湯に浸し、温熱治療を行う。患者の下肢は浴槽下の空間部に入れられる。渦流浴を行う場合には、ポンプを回転させ、浴槽内の湯を吸込み口から吸入し、ノズルから空気混じりの湯を噴出し、浴槽内の湯を循環させる。ノズルから噴出する空気混じりの湯で、患者の上肢を刺激しながら温熱治療が行われる。
【先行技術文献】
【特許文献】
【０００４】
【特許文献１】特開２００１−６１９３９号公報
【特許文献２】特開２００４−２６７４１８号公報
【発明の概要】
【発明が解決しようとする課題】
【０００５】
特許文献２に開示される上肢用部分浴槽では、浴槽の下に患者の下肢を入れる空間部が設けられているために、浴槽が浅く、患者は、例えば肘の伸展を十分に行うことができない可能性がある。また、上記上肢用部分浴槽においては、治療時の患者の姿勢が前屈みとなり、腰に負担がかかることが懸念される。また、上記上肢用部分浴槽は、浴槽の方に顔を向けて使用することを前提とした構成であり、治療中に湯気が顔にかかり易い可能性がある。上記上肢用部分浴槽においては、患者は、湯気がかかり難い姿勢にした場合に、浴槽を構成する脚を邪魔であると感じる可能性がある。また、上記上肢用部分浴槽においては、セラピスト等の治療を施す者は、患者に対面した状態で患者に近づき難く、手技を行い難い可能性がある。
【０００６】
以上の点に鑑みて、本発明は、患者及び治療を施す者にとって使い勝手が良い上肢用の渦流浴装置を提供することを目的とする。
【課題を解決するための手段】
【０００７】
上記目的を達成するために本発明の渦流浴装置は、装置本体が前後方向に延びる上肢用の渦流浴装置であって、前後の側壁のうち少なくとも一方にノズルを有する浴槽と、前記浴槽の周囲を覆うケーシングと、を備え、前記浴槽の左右の側壁は、上側から下側に向かうにつれて当該浴槽内の左右方向の幅を狭くする第１傾斜面部を有し、前記ケーシングの左右の側壁は、上側から下側に向かうにつれて当該ケーシングの左右方向の幅を狭くする第２傾斜面部を有し、前記第１傾斜面部及び前記第２傾斜面部は、それらが設けられる各側壁において、上下方向に占める割合が半分以上である構成（第１の構成）になっている。
【０００８】
本構成によれば、患者は、浴槽内に入れた上肢を第１傾斜面部に沿わせた状態で支持しながら治療を行うことができる。また、本構成によれば、患者は、第２傾斜面部が形成されているために、無理な姿勢になることなく浴槽に近寄ることができる。本構成においては、装置の左右両側に第１傾斜面部及び第２傾斜面部が設けられているために、患者は装置本体の左右両側に位置して、楽な姿勢で渦流浴を行うことができる。また、本構成においては、装置の左右両側に第２傾斜面部が設けられているために、治療を施す者は、患者と対面した状態で患者に近づき易く、渦流浴を行う患者に対して容易に手技を行うことができる。
【０００９】
上記第１の構成の渦流浴装置において、前記浴槽の深さは、前記浴槽の上端から前記装置本体の下端までの距離の半分よりも大きい構成（第２の構成）であるのが好ましい。本構成によれば、浴槽の深さを十分に深くすることができ、例えば、肘から手先を浴槽内の水に浸す患者が腕を下方に向けて伸ばした場合でも、手先が浴槽の底壁にぶつからないようにすることができる。
【００１０】
上記第１又は第２の構成の渦流浴装置において、前記第１傾斜面部は、当該浴槽の上端から下端まで延びている構成（第３の構成）であるのが好ましい。本構成によれば、浴槽内において、患者は、第１傾斜面部に上肢を容易に載せることができる。
【００１１】
上記第１から第３のいずれかの構成の渦流浴装置において、前記浴槽の左右の側壁は、前記装置本体を左右に二等分する面を基準として対称形状である（第４の構成）のが好ましい。
【００１２】
上記第１から第４のいずれかの構成の渦流浴装置において、前記ケーシングの左右の側壁は、前記装置本体を左右に二等分する面を基準として対称形状である（第５の構成）のが好ましい。
【００１３】
上記第１から第５のいずれかの構成の渦流浴装置において、前記装置本体の左右それぞれにおいて、前記第１傾斜面部と前記第２傾斜面部とは、少なくとも一部の範囲において傾きが略同一である（第６の構成）のが好ましい。本構成によれば、無駄なスペースの発生を抑制して、渦流浴装置が大型化することを避けられる。
【００１４】
上記第１から第６のいずれかの構成の渦流浴装置は、前記装置本体を支える支持脚を前後に備え、前後方向の一方側の前記支持脚は、前後方向他方側の前記支持脚に比べて左右方向内方に位置する構成（第７の構成）であるのが好ましい。本構成によれば、前後方向の一方側を向く患者が支持脚を邪魔であると感じる可能性を低減できる。
【００１５】
上記第１から第７のいずれかの構成の渦流浴装置において、前記浴槽に溜められた水はヒーターによって温め可能に設けられて、前記浴槽は温浴槽であり、前記浴槽の前後方向の一端側に隣接して配置され、冷浴槽として使用される副浴槽を更に備える構成（第８の構成）が好ましい。本構成によれば、患者は、浴槽と副浴槽を用いて交代浴治療を行うことができる。
【００１６】
上記第８の構成の渦流浴装置において、前記副浴槽は、前記浴槽よりも左右方向の幅が広い構成（第９の構成）であるのが好ましい。本構成によれば、患者は、浴槽で温浴治療を行った後に、身体を捻ることによって簡単に患部を副浴槽に入れて交代浴を行うことができる。
【発明の効果】
【００１７】
本発明によれば、患者及び治療を施す者にとって使い勝手が良い上肢用の渦流浴装置を提供することができる。
【図面の簡単な説明】
【００１８】
【図１】本発明の実施形態に係る渦流浴装置の構成を示す概略斜視図
【図２】本発明の実施形態に係る渦流浴装置の構成を示す概略上面図
【図３】本発明の実施形態に係る渦流浴装置が備える循環部の構成を示す模式図
【図４】本発明の実施形態に係る渦流浴装置の構成を示す概略正面図
【図５】図２のＡ−Ａ位置における概略断面図
【図６】本発明の実施形態に係る渦流浴装置を用いて患者が治療を行う様子を示す模式図
【図７】本発明の実施形態に係る渦流浴装置を用いて、肘の治療を行う様子を示す模式図
【図８】本発明の実施形態に係る渦流浴装置を用いて温浴治療を行う患者に対して、セラピストが治療を施す様子を示す模式図
【図９】本発明の実施形態に係る渦流浴装置を用いて二人の患者が治療を行う様子を示す模式図
【発明を実施するための形態】
【００１９】
以下、本発明の実施形態に係る渦流浴装置について、図面を参照しながら詳細に説明する。本明細書では、渦流浴装置の装置本体が延びる方向を前後方向と定義する。また、この前後方向を基準として左右方向を定義し、前後方向および左右方向に対して垂直な方向を上下方向と定義する。なお、前後、左右、上下は単に説明のために用いられる名称であって、実際の位置関係や方向を限定する趣旨ではない。
【００２０】
＜渦流浴装置の概略構成＞
図１は、本発明の実施形態に係る渦流浴装置１の構成を示す概略斜視図である。図２は、本発明の実施形態に係る渦流浴装置１の構成を示す概略上面図である。渦流浴装置１は、上肢の水治療を行うための上肢用の渦流浴装置である。患者は、渦流浴装置１によって、例えば肘や手首の治療を行うことができる。図１及び図２に示すように、渦流浴装置１は浴槽１０を備える。浴槽１０は、上面視において略矩形状であり、前後方向に延びる。
【００２１】
浴槽１０には、水が溜められる。浴槽１０に溜められる水には、入浴剤等の添加物が含まれてもよい。渦流浴装置１は、不図示のヒーターを備える。なお、ヒーターは、例えば、浴槽１０の下部や側部に配置することができる。浴槽１０に溜められた水は、このヒーターによって温め可能である。すなわち、浴槽１０は、温浴槽として機能することができる。患者は、浴槽１０に溜められた温水に患部を浸すことによって温浴治療を行うことができる。
【００２２】
浴槽１０は、前後の側壁のうち少なくとも一方にノズル１１を有する。本実施形態では、浴槽１０の前壁１０ａに、左右方向に並ぶ２つのノズル１１が設けられる。また、浴槽１０の後壁１０ｂに、左右方向に並ぶ３つのノズル１１が設けられる。詳細には、これら３つのノズル１１のうち、中央のノズル１１は、両端のノズル１１より低い位置に設けられる。なお、ノズル１１の数及び配置は例示にすぎず、これらは適宜変更されてよい。ノズル１１の数は複数に限らず、場合によっては１つでもよい。
【００２３】
浴槽１０の底壁には、図２に示すように、浴槽１０に溜められた水を外部に排水可能とする排水部１２が設けられる。排水部１２は、詳細には、排水口と、排水口を開閉する水栓とによって構成される。本実施形態では、水栓はポップアップ式の水栓である。ただし、水栓は、ポップアップ式の水栓に限らず、他の公知の水栓であってよい。
【００２４】
その他、浴槽１０の前方側の縁上面には、表示操作部１３が設けられる。表示操作部１３は、例えばタイマー表示を含む各種の表示を行う表示部を含む。また、表示操作部１３は、各種の設定操作を行うための操作ボタンを含む。
【００２５】
図１及び図２に示すように、渦流浴装置１は、浴槽１０の前後方向の一端側に隣接配置される副浴槽２０を備える。本実施形態では、副浴槽２０は、浴槽１０の後端側に隣接配置される。詳細には、副浴槽２０は、上面視において略矩形状であり、左右方向に延びる。副浴槽２０は、浴槽１０よりも左右方向の幅が広い。このために、渦流浴装置１は、装置本体後側が左右に出っ張った構造になっている。本実施形態では、副浴槽２０は、浴槽１０に比べて深さが浅い。副浴槽１０の前後方向の幅は、浴槽１０の前後方向の幅より小さい。
【００２６】
副浴槽２０は、底面に排水部２１を有する。排水部２１は、詳細には、排水口と、排水口を開閉する水栓とによって構成される。本実施形態では、水栓は、副浴槽２０の後壁に一端が取り付けられるチェーン２２の他端に取り付けられる。水栓は、チェーン２２を引っ張ることによって排水口から外すことができる。なお、水栓は、ポップアップ式の水栓等、他の公知の水栓であってもよい。副浴槽２０にはノズル及びヒーターが取り付けられていない。副浴槽２０は、浴槽１０に溜められる水よりも温度の低い水が溜められることによって、冷浴槽として機能することができる。
【００２７】
渦流浴装置１は、浴槽１０の周囲を覆うケーシング３０を備える。本実施形態では、ケーシング３０は、浴槽１０と副浴槽２０の周囲を纏めて覆う。渦流浴装置１は、ケーシング３０の内部に、浴槽１０内の水を循環させる循環部を有する。図３は、本発明の実施形態に係る渦流浴装置１が備える循環部４０の構成を示す模式図である。
【００２８】
図３に示すように、循環部４０は、ポンプ４１と、第１液配管４２と、第２液配管４３とを有する。ポンプ４１は、ウォーターポンプである。第１液配管４２は、浴槽１０に設けられる開口部１０ｃと、ポンプ４１の吸込口とを接続する。第２液配管４３は、ポンプ４１の吐出口と、浴槽１０に設けられるノズル１１とを接続する。なお、図３においては、本来複数あるノズル１１を便宜的に１つだけ示している。ポンプ４１の駆動により、吸水口１０ｃから浴槽１０の水がポンプ４１に取り込まれ、ポンプ４１から吐出された水が、ノズル１１から浴槽１０内に吐出される。これにより、浴槽１０内の水が循環されるとともに、浴槽１０内に噴流が生じる。
【００２９】
なお、本実施形態では、渦流浴装置１は、空気をノズル１１に送るための空気配管４４を備える。空気配管４４の一端は、空気取込口４５に接続され、他端は第２液配管４３に接続される。なお、第２液配管４３と空気配管４４との接続は、例えばカプラーを用いた接続でもよいし、配管が金属製である場合には溶接を用いた接続であってもよい。空気配管４４の途中位置には、絞り弁４６が取り付けられている。絞り弁４６によって、ノズル１１に供給される空気量を調節することができる。絞り弁４６が開かれていれば、ノズル１１から空気が混じった水が吐出される。なお、場合によっては、空気配管４４は設けられなくてもよい。
【００３０】
＜浴槽及びケーシングの構造の詳細＞
図４は、本発明の実施形態に係る渦流浴装置１の構成を示す概略正面図である。図５は、図２のＡ−Ａ位置における概略断面図である。図５に示すように、浴槽１０は、上下方向に略直交する底壁１０１を有する。換言すると、底壁１０１は水平方向に広がる。浴槽１０の深さ（深度）ｄは、浴槽１０の上端から装置本体の下端までの距離Ｄの半分よりも大きい。すなわち、ｄ＞Ｄ／２である。浴槽１０の深さｄは、浴槽１０の上端から底壁１０１までの距離である。肘から手先を浴槽１０内の水に浸す患者が腕を下方に向けて伸ばした際に、手先が底壁１０１にぶつからないように、浴槽１０の深さｄは十分大きく設けるのが好ましい。
【００３１】
図５に示すように、浴槽１０の左右の側壁は、上側から下側に向かうにつれて当該浴槽１０内の左右方向の幅を狭くする第１傾斜面部１０２を有する。第１傾斜面部１０２は、浴槽１０の内面側に設けられる。本実施形態では、浴槽１０の左右の側壁は、装置本体を左右に二等分する面Ｓ（図２及び図４参照）を基準として対称形状である。このために、浴槽１０の左右の側壁が有する第１傾斜面部１０２は、面Ｓに平行な鉛直面に対して互いに反対側に傾くが、前記鉛直面に対する傾き量は互いに同じとなっている。
【００３２】
第１傾斜面部１０２は、当該傾斜面部が設けられる各側壁において、上下方向に占める割合が半分以上である。本実施形態では、第１傾斜面部１０２は、浴槽１０の上端から下端（底壁１０１）まで延びている。すなわち、第１傾斜面部１０２は、浴槽１０の左右の側壁のそれぞれにおいて、上下方向の全範囲を占める。
【００３３】
ただし、これは例示である。例えば、浴槽１０の左右の側壁は、浴槽１０の上端から上下方向の半分を超える範囲まで第１傾斜面部１０２を有し、それより下側においては、上下方向と平行な方向に延びる鉛直面部を有する構成であってもよい。また、場合によっては、浴槽１０の左右の側壁は、浴槽１０の上端から上下方向の半分を超えない範囲で鉛直面部を有し、それより下側においては第１傾斜面部１０２を有する構成であってもよい。第１傾斜面部１０２は、浴槽１０の左右の側壁のそれぞれにおいて、上下方向の大部分を占めるのが好ましく、例えば上下方向に占める割合が８割以上であるのが好ましい。
【００３４】
なお、第１傾斜面部１０２は、平面で構成されてもよいが、曲面で構成されてもよい。第１傾斜面部１０２は、平面と曲面とによって構成されてもよい。第１傾斜面部１０２の傾斜角度は、全範囲で一定であってもよいが、途中で角度が変わってもよい。
【００３５】
また、本実施形態では、浴槽１０の左右の縁幅が狭く設けられている。浴槽１０の左右の縁幅を狭くするために、浴槽１０の左右の縁は、上側に凸の湾曲面で構成して平面部を有しない構成としてもよい。
【００３６】
図４及び図５に示すように、ケーシング３０の左右の側壁は、上側から下側に向かうにつれて当該ケーシング３０の左右方向の幅を狭くする第２傾斜面部３０１を有する。第２傾斜面部３０１は、ケーシング３０の外面に設けられる。本実施形態では、ケーシング３０の左右の側壁は、装置本体を左右に二等分する面Ｓ（図２及び図４参照）を基準として対称形状である。このために、ケーシング３０の左右の側壁が有する第２傾斜面部３０１は、面Ｓに平行な鉛直面に対して互いに反対側に傾くが、前記鉛直面に対する傾き量は互いに同じとなっている。
【００３７】
第２傾斜面部３０１は、当該傾斜面部が設けられる各側壁において、上下方向に占める割合が半分以上である。本実施形態では、ケーシング３０の左右の側壁は、上方と下方に上下方向と略平行な方向に延びる鉛直面部３０２を有する。第２傾斜面部３０１は、上方と下方の鉛直面部３０２に挟まれる。ただし、このような構成は例示にすぎない。例えば、第２傾斜面部３０１がケーシング３０の上端から下端まで延びる構成であってもよい。また、例えば、上方と下方の鉛直面部３０２のうち、いずれか一方側が傾斜面部に変更されてもよい。第２傾斜面部３０１は、ケーシング３０の左右の側壁のそれぞれにおいて、上下方向に占める割合が６割以上であるのが好ましい。
【００３８】
なお、第２傾斜面部３０１は、平面で構成されてもよいが、曲面で構成されてもよい。また、第２傾斜面部３０１は、平面と曲面で構成されてもよい。第２傾斜面部３０１の傾斜角度は、全範囲で一定であってもよいが、途中で角度が変わってもよい。
【００３９】
また、装置本体の左右それぞれにおいて、第１傾斜面部１０２と第２傾斜面部３０１とは、少なくとも一部の範囲において傾きが略同一である。本実施形態では、第１傾斜面部１０２と第２傾斜面部３０１とは、大部分の範囲において傾きが略同一である。このように構成することで、余分なスペースが発生したり、装置の構造が複雑になったりすることを避けることができる。ただし、場合によっては、装置本体の左右それぞれにおいて、第１傾斜面部１０２と第２傾斜面部３０１とは、全範囲において互いに傾きが異なる構成であってもよい。
【００４０】
図１及び図４に示すように、渦流浴装置１は、装置本体を支える支持脚５０を備える。図４に示すように、左右方向において、前側の支持脚５０ａは、後側の支持脚５０ｂに比べて内方に位置する。本実施形態では、前後それぞれに、左右方向に間隔をあけて配置される２つの支持脚５０を有する。渦流浴装置１を正面視した場合に、前側の２つの支持脚５０ａは、後側の２つの支持脚５０ｂに挟まれる。ケーシング３０は、後方下部側に、外方に突出する支持脚５０ｂを上側から覆う凸部３０ａを有する。
【００４１】
＜渦流浴装置の使用例＞
次に、以上のように構成される渦流浴装置１の使用例について説明する。図６は、本発明の実施形態に係る渦流浴装置１を用いて患者２が治療を行う様子を示す模式図である。図６では、患者２と浴槽１０との関係を理解しやすいように、渦流浴装置１は断面図で示されている。
【００４２】
渦流浴装置１の使用にあたっては、例えば、浴槽１０に温水が溜められ、副浴槽２０に冷水が溜められる。なお、浴槽１０に溜められる温水は、ヒーターによって所定の温度に維持される。副浴槽２０には、例えば水道水がそのまま溜められてもよいが、氷等を使用して水道水より冷たい水が溜められてもよい。
【００４３】
図６に示すように、患者２は、例えば渦流浴装置１の側方において、椅子に座って腰掛姿勢になる。図６に示す例では、患者２は、渦流浴装置１の左側で、前方を向いた状態で腰掛姿勢になっている。患者２は、前後方向における中央部よりもやや後方に臀部を配置して腰掛姿勢になっている。なお、患者２は、副浴槽２０よりもやや前方に位置する。そして、患者２は、右側の上肢を浴槽１０内の水に浸している。温浴治療時においては、循環部４０（図３参照）が駆動され、浴槽１０内に渦流を生じさせる。患者２は、患部に渦流による刺激を与えて治療を行うことができる。なお、患者２は、左側の上肢の治療を行いたい場合には、渦流浴装置１の右側で腰掛姿勢になればよい。
【００４４】
第２傾斜面部３０１がケーシング３０の左側壁に形成されている。このために、患者２は、浴槽１０上面左端より内側に自身の脚を置くことができ、無理なく浴槽１０に近寄ることができる。また、浴槽１０内側の左側壁には、第１傾斜面部１０２が設けられている。このために、患者２は、浴槽１０内に入れた上肢を第１傾斜面部１０２に沿わせた状態で支持しながら治療を行うことができる。患者２は、第１傾斜面部１０２と第２傾斜面部３０１とが設けられているために、自身の身体をあまり傾けることなく、楽な姿勢で温浴治療を行うことができる。
【００４５】
また、患者２は、前方を向いた姿勢で温浴治療を行える。このために、渦流浴装置１においては、治療中に患者２の顔に湯気がかかる可能性を低減できる。また、患者２は、前方を見ながら治療を行うことができるために、表示操作部１３に設けられるタイマーを見易く、予め設定された時間に従って適切に治療を行うことができる。また、渦流浴装置１においては、前方の支持脚５０ａを覆う凸部が設けられない。このために、患者２は、前方を向いた姿勢で脚の置き場に困ることなく、快適に治療を行うことができる。
【００４６】
患部を温浴から冷浴に切り替える場合、副浴槽２０が浴槽１０の後方すぐ近くに配置されているために、患者２は、上体を捻ることよって、簡単に上肢を副浴槽２０の冷水に浸すことができる。副浴槽２０は、浴槽１０よりも左右方向に突出している。このことも、上体を捻ることによる患部の冷浴を行い易くしている。
【００４７】
図７は、本発明の実施形態に係る渦流浴装置１を用いて、肘の治療を行う様子を示す模式図である。渦流浴装置１においては、上述のように、浴槽１０の深さが十分深く設けられている。このために、図７に示すように、患者２は、肘を伸ばしても手先が浴槽１０の底壁に当たらない。すなわち、患者２は、肘の曲げ伸ばし運動をストレスなく行いながら渦流を用いた温浴治療を行うことができる。なお、渦流浴装置１は、肘の治療に限らず、例えば手首等の温浴治療を行うために使用することができ、この場合も、患者２はストレスなく患部を動かしながら温浴治療を行うことができる。
【００４８】
図８は、本発明の実施形態に係る渦流浴装置１を用いて温浴治療を行う患者２に対して、セラピスト３が治療を施す様子を示す模式図である。渦流浴装置１においては、患者２が位置する側と反対側の面においても、ケーシング３０には第２傾斜面部３０１が設けられる。このために、セラピスト３は、患者２と対面した状態で患者に近づき易い。このために、セラピスト３は、渦流浴を行う患者２に対して容易に手技を行うことができる。
【００４９】
図９は、本発明の実施形態に係る渦流浴装置１を用いて二人の患者２が治療を行う様子を示す模式図である。渦流浴装置１は、左右両側に第１傾斜面部１０２と第２傾斜面部３０１とを有する。このために、図９に示すように、装置の左右両側に患者２が腰掛姿勢になって、楽な姿勢で二人同時に治療を行うことができる。なお、図９では、一方の患者２が患部の温浴を行い、他方の患者２が患部の冷浴を行っている。渦流浴装置１では、二人同時に、患部の温浴を行うことも可能である。  
【００５０】
＜その他＞
以上に示した実施形態は、本発明の例示にすぎない。以上に示した実施形態の構成は、本発明の技術的思想を超えない範囲で適宜変更されてよい。また、本明細書に記載される複数の実施形態と変形例とは、可能な範囲で適宜組み合わせて実施されてよい。また、本実施形態における副浴槽２０は、場合によっては設けられなくてもよい。
【符号の説明】
【００５１】
１・・・渦流浴装置
１０・・・浴槽
１１・・・ノズル
２０・・・副浴槽
３０・・・ケーシング
５０・・・支持脚
１０２・・・第１傾斜面部
３０１・・・第２傾斜面部
【図１】
2018075237.tif 000003
【図２】
2018075237.tif 000004
【図３】
2018075237.tif 000005
【図４】
2018075237.tif 000006
【図５】
2018075237.tif 000007
【図６】
2018075237.tif 000008
【図７】
2018075237.tif 000009
【図８】
2018075237.tif 000010
【図９】
2018075237.tif 000011